(57)【要約】本発明は、重合体材料からなる少なくとも第１の層と第２の層との間に形成した複数の閉鎖セルを具えた液体用容器に関するものである。それぞれの閉鎖セルは、主として、約２液量オンス（約０．０５９１リットル）以下の、水を主成分とする固体又は液体を収容する。それぞれの閉鎖セルは、約１液量オンス（約０．０２９６リットル）以下の、水を主成分とする固体又は液体を収容すると好ましい。更に他の実施例では、重合体材料の第１及び第２の層にミシン目を付けて、残りの複数の閉鎖セルから個々の閉鎖セルを分離できるようにした。
2004504990.tif 000002
【特許請求の範囲】
【請求項１】
液体用容器において、
この液体用容器は、重合体材料の少なくとも第１及び第２の層の間に形成した複数の閉鎖セルを具え、それぞれの閉鎖セルの内容物は、主として、約２液量オンス（約０．０５９１リットル）以下の、水を主成分とする固体又は液体からなることを特徴とする液体用容器。
【請求項２】
各閉鎖セルは、約１液量オンス（約０．０２９６リットル）以下の、水を主成分とする固体又は液体を収容するものとした請求項１に記載の液体用容器。
【請求項３】
各閉鎖セルをほぼ立方体状、装飾的、又はテクスチャ（風合）付けした形態に成形した請求項１に記載の液体用容器。
【請求項４】
水を主成分とする固体又は液体は、少なくとも９８％の水を含み、さらに、随意的に、粘度調整剤、調味料、芳香剤、着色料及び保存料を含む請求項１に記載の液体用容器。
【請求項５】
水を主成分とする固体又は液体は、蒸留水である請求項４に記載の液体用容器。
【請求項６】
前記重合体材料の第１の層をほぼ立方体形状に熱成形し、また前記重合体材料の第２の層により重合体材料の第１の層を封止した請求項１に記載の液体用容器。
【請求項７】
重合体材料の第１及び第２の層にミシン目を付けた請求項１に記載の液体用容器。
【請求項８】
重合体材料の第１及び第２の層にミシン目を付けて、残りの複数の閉鎖セルから個々の閉鎖セルを分離できるようにした請求項７に記載の液体用容器。
【発明の詳細な説明】
【０００１】
本発明は、水を主成分とする製品のための新規なパッケージング及びデリバリシステムに関するものである。このパッケージング及びデリバリシステムは、個々の閉鎖セルを複数個具えた少なくとも１個のシートを有することを特徴とする、各セルは、水を主成分とする製品を収容する。この水を主成分とする成分は、凍結した蒸留水とするのが好ましい。
【０００２】
発明の背景
水は、生命にとって欠くことのできない成分である。氷は便利なものである。氷は、アイスキューブ用の大きなバッグ又は冷凍庫内のアイストレイから広く入手することができる。しかし、アイストレイは、冷凍することなしには輸送も貯蔵もできないことは明らかである。アイスキューブのバッグは、アイスキューブが塊になり易い欠点があり、このことは、特に、アイスキューブが溶けた後に再凍結する場合に起こる。従って、アイスキューブのバッグを輸送する必要がある際には、冷凍トラックにおいてのみ可能である。
【０００３】
本発明は、繰り返し凍結及び解凍できるよう個別に清潔にパッケージした水製品を配送することにより、アイストレイ及びバッグに入れたアイスキューブに関連する上記問題を克服する。
【０００４】
発明の概要
本発明は、重合体材料からなる少なくとも第１の層と第２の層との間に形成した複数の閉鎖セルを具える液体用容器に関するものである。それぞれの閉鎖セルは、ほぼ約２液量オンス（約０．０５９１リットル）以下の、水を主成分とする固体又は液体を収容する。それぞれの閉鎖セルは、約１液量オンス（約０．０２９６リットル）の、水を主成分とする固体又は液体を収容すると好ましい。
【０００５】
それぞれの閉鎖セルは、ほぼ立方体、又は貝殻状或いはテクスチャ（風合い）付けした装飾的形状とすることができる。
【０００６】
水を主成分とする固体又は液体は、少なくとも９８％が水であり、さらに、随意的に、粘度調整剤、調味料、芳香剤、着色料及び保存料を含むことができる。さらに好適な実施例では、水を主成分とする固体又は液体は、蒸留水とする。
【０００７】
特に好適な実施例では、重合体材料からなる第１の層をほぼ立方体、装飾的又はテクスチャ（風合）付けした形態に熱成形して、また、前記重合体材料からなる第２の層を柔軟性のあるものとし重合体材料からなる前記第１層を取外し可能に封止する。
【０００８】
更に好適な実施例では、重合体材料からなる第１及び第２の層にミシン目を付ける。重合体材料の第１及び第２の層にミシン目を付けて、残りの複数の閉鎖セルから個々の閉鎖セルを分離できるようにする。
【０００９】
発明の詳細な説明
本発明は、個別にラップした液体材料を収容するパッケージジングシステムをもたらすものである。このパッケージジングシステムは、ブリスターパッケージ、熱成形パッケージ又はバブルパックの形態とすることができる。このパッケージングシステムは、液状又は凍結した水含有材料を保持する閉鎖セルを形成することができなければならない。この閉鎖セルは、個別のセル及び／又はセル列に分離することができると好ましい。
【００１０】
好適なパッケージングシステムは、約０．５液量オンス（約０．０１４８リットル）の水を保持する形状の個別容器を複数個具えた単一構造体である。このパッケージ器具は、ポリスチレン、ポリ塩化ビニル及びポリプロピレンのような高分子材料を熱成形することにより形成し、約０．０１０インチ（約０．２５４ｍｍ）の厚さとするのが好ましい。この構造体のためのカバーは、透明、不透明若しくは着色した、ポリエステル及びマイラ（ｍｙｌａｒ ）のような高分子材料、又はホイル材料とすることができる。このカバーは、接着剤又は加熱によりカバーと単一の構造体との間に結合を生じ、単一構造体に固定する。カバーは、曲げるのに充分な薄さとし、しかも、構造体中の内容物を露出するために単一の構造体から引き剥がすのに充分な強度を有するものとするのが好ましい。
【００１１】
この構造体の内容物は、水が約９０重量％を超える、水を主成分とする液体とするのが好ましく、より好適には、水が約９８重量を超えるものとする。粘度調整剤、調味料、着色剤及び保存料を添加することができる。構造体中に供給するのに更に好ましい液体は、ほぼ純粋な水である。平均的な消費者が公共の水道から得ることができる水、又はボトルの形態で購入することのできる水がほぼ純粋な水とみなされる。この構造体の最も好ましい内容物は、蒸留水である。
【００１２】
新規な液体用容器及びこの容器の使用方法に関する本発明の好ましい実施例を上述した。上述した教示内容の恩恵を受ける当業者にとっては、変更例及び他の実施例もあり得ることは明らかであろう。従って、本発明は本明細書中に記載した特定の実施例に限定されるものでなく、変更例及び他の実施例も、特許請求の範囲内にあると理解されたい。
【図面の簡単な説明】
【図１】図１は、本発明の液体用容器の線図的側面図である。
【図２】図２は、本発明の液体用容器の線図的斜視図である。
【図３】図３は、本発明の液体用容器の線図的平面図である。
【国際公開パンフレット】
2004504990.tif 000003
2004504990.tif 000004
2004504990.tif 000005
2004504990.tif 000006
2004504990.tif 000007
2004504990.tif 000008
2004504990.tif 000009
【国際調査報告】
2004504990.tif 000010